(57)【要約】【課題】既に据付されているエレベーターのガイドレールに対してアンカーボルト用の下穴の穴あけ施工を実施する際に、安全性を確保可能な昇降路用穴あけ施工装置を提供する。【解決手段】釣合おもりに設置する機構と、穴あけ施工用のドリルと、前記ドリルを押し出す機構を有する昇降路用穴あけ施工装置である。【選択図】図１
2019131343.tif 000002
【特許請求の範囲】
【請求項１】
釣合おもりに設置する機構と、
穴あけ施工用のドリルと、
前記ドリルを押し出す機構を有する、
昇降路用穴あけ施工装置。
【請求項２】
請求項１に記載の昇降路用穴あけ施工装置であって、
前記釣合おもりに設置する機構は、長穴に取付いているブラケットと押さえボルトにより、異なった幅や高さの釣合おもりに設置可能な機構を有する、
昇降路用穴あけ施工装置。
【請求項３】
請求項１に記載の昇降路用穴あけ施工装置であって、
前記ドリルを押し出す機構は、モーターに取付けられたネジが切られた棒とブラケットを用いて前記ドリルが取付いており、前記モーターの正回転、逆回転により前記ドリルの押し出しおよび引き戻しを可能にした機構を有する、
昇降路用穴あけ施工装置。
【請求項４】
請求項３に記載の昇降路用穴あけ施工装置であって、
前記ドリルを押し出す機構は、前記ドリルの押し出しと同時に前記ドリルを稼動させ、穴あけ施工を可能にした昇降路用穴あけ施工装置。
【請求項５】
請求項１に記載の昇降路用穴あけ施工装置であって、
装置に備えられた長穴により前記ドリルの水平方向の位置調整を可能にした機構を有する
昇降路用穴あけ施工装置。
【請求項６】
請求項１に記載の昇降路用穴あけ施工装置であって、
穴あけ施工部水平方向の位置決めを、本装置に設けられた長穴により調整可能な機構を有した
昇降路用穴あけ施工装置。
【請求項７】
請求項３に記載の昇降路用穴あけ施工装置であって、
前記穴あけ施工用のドリルおよび前記ドリルを押し出す機構は、ケーブルおよびリモコンを備えており、遠隔操作を可能にし、
前記リモコンは、前記ドリルを押し出し用のボタンと、前記ドリルを引き戻し用のボタンと、穴あけ施工用のボタンを備え、前記ドリル押し出し用のボタンと前記ドリル引き戻し用のボタンによって、穴あけ施工部に対して前記ドリルを奥行き方向に調整可能な機能を有し、
前記穴あけ施工用のボタンは、前記ドリルを稼動させながら前記ドリルを一定距離押し出し、押し出した距離引き戻す機能を有した
昇降路用穴あけ施工装置。
【請求項８】
請求項７に記載の昇降路用穴あけ施工装置を用いた施工方法であって、
前記釣合おもりに前記昇降路用穴あけ施工装置を取り付け、
前記釣合おもりを昇降させ前記穴あけ施工部の高さ位置を調整し、
前記リモコンの前記ドリル押し出し用のボタンを押し続け、前記穴あけ施工部との接触音が聞こえたら、前記穴あけ施工用のボタンを押し、穴あけ施工音がしなくなったら、前記ドリル引き戻し用のボタンを押して前記ドリルを引き戻す
昇降路用穴あけ施工装置を用いた施工方法。
【発明の詳細な説明】
【技術分野】
【０００１】
本発明は、釣合おもり側ガイドレールブラケット追加時のアンカーボルト打設における昇降路用穴あけ施工装置、および昇降路用穴あけ施工装置を用いた施工方法に関する。
【背景技術】
【０００２】
特許文献１に記載の装置は、穴あけ用のドリルを備えた昇降可能な踏み台を用いてコンクリートに穴あけをする装置である。この装置は作業者が乗り込む踏み台が昇降するので、安全性が損なわれる。また、本発明はエレベーター昇降路内への設置を考慮しており、昇降路内にこの装置を設置するには時間と労力を要する。さらに、昇降路内底面に既に設置された機器等により、設置不可の場合がある。
【先行技術文献】
【特許文献】
【０００３】
【特許文献１】特開平１１−２３５７１７号公報
【発明の概要】
【発明が解決しようとする課題】
【０００４】
既に据付されているエレベーターに対して耐震改造を行う際、釣合おもり側のガイドレールに対してレールブラケットの追加が必要となる場合がある。レールブラケットの追加が必要となる場合、アンカーボルトの打設が必要となり、アンカーボルト用の下穴の穴あけ施工を要する。下穴を穴あけ施工する場合、かごから足場を伸ばした作業や足場の上に乗り作業を行い、安全性を損なうものとなっていた。
【課題を解決するための手段】
【０００５】
上記課題を解決するために、例えば特許請求の範囲に記載の構成を採用する。
本願は上記課題を解決する手段を複数含んでいるが、その一例を挙げるならば、釣合おもりに設置する機構と、穴あけ施工用のドリルと、前記ドリルを押し出す機構を有する、昇降路用穴あけ施工装置である。
【発明の効果】
【０００６】
本発明によれば、作業者が足場やエレベーターに乗り込むこと無く穴あけ施工作業を行うため、安全性を保ったまま作業可能となる。
上記した以外の課題、構成及び効果は、以下側の実施の形態の説明により明らかにされる。
【図面の簡単な説明】
【０００７】
【図１】本発明に用いる昇降路用穴あけ施工装置の一態様を示す平面図である。
【図２】図１の下側から見た側面図である。
【図３】図２のＡ部拡大図である。
【図４】図２に示すドリル部の詳細図である。
【図５】図４に示すＢ部から見た断面図である。
【図６】本実施例における穴あけ施工手順を示すフローチャートである。
【発明を実施するための形態】
【０００８】
図１に本発明に用いる昇降路用穴あけ施工装置の一態様を示す平面図である。本実施例における昇降路１を昇降するかご２を備えるエレベーターは、かご２をガイドするかご側ガイドレール４を有し、かご２と綱を介して繋がっている釣合おもり３がある。釣合おもり３をガイドする釣合おもり側ガイドレール５がある。
【０００９】
次に、昇降路用穴あけ施工装置２０について説明する。先ず釣合おもりに設置する機構として、長穴と固定ボルト７ａ，７ｂにより異なった大きさの釣合おもりに取付け可能なＵ字鋼６ａ，６ｂが、釣合おもり３に取り付いている。Ｕ字鋼６ａ，６ｂの長穴により、穴あけ施工部に対して奥行き方向が調整可能なＵ字鋼８が取り付いている。Ｕ字鋼８の長穴とボルト１０ａ，１０ｂにより、穴あけ施工部に対して水平方向に調整可能なブラケット９ａ，９ｂが取り付いている。ブラケット９ａ，９ｂにそれぞれドリル１１ａ，１１ｂが取り付いている。
【００１０】
図２に昇降路１を横から見た側面図を示す。図２は図１の下側から見た側面図である。釣合おもり３の上枠にブラケット１２，１３を用いてＵ字鋼６が取り付いている。ドリル１１部よりケーブル１５が伸びていて、先端にリモコン１６が付いている。このリモコン１６は「＋」ボタン、「−」ボタン、「穴あけ施工開始」ボタンを備えている。このボタンを作業者が操作し、穴あけ施工を行う。
【００１１】
図３に釣合おもり３の釣合おもり上枠３ａ，３ｂにＵ字鋼６が取り付いている詳細図を示す。図３は図２のＡ部拡大図である。釣合おもり上枠３ａ，３ｂにブラケット１２，１３と押さえボルト１４ａ，１４ｂと固定ボルト７を用いてＵ字鋼６が取り付いている。ブラケット１３は溶接固定されていて、ブラケット１２は固定ボルト７で固定されている。固定ボルト７はＵ字鋼６の長穴に取り付いているので釣合おもり上枠ａ，３ｂの異なった幅でも取付け可能である。また、固定ボルト１４ａ，１４ｂを調整することで異なった高さの釣合おもり上枠３ａ，３ｂにも取付け可能となる。
【００１２】
図４にドリル１１部を横から見た詳細図を示す。図４はドリルを押し出す機構を示す図である。ブラケット９のかご側に固定されているモーター１７がある。モーター１７に取付き、モーター１７が稼動することで回転する、ネジが切られた棒１８がある。ネジが切られた棒１８に設置されたブラケット１９にもネジが切られており、モーター１７を稼動させ、ネジが切られた棒１８が回転し、ブラケット１９が移動する。ブラケット１９の穴に取付けられたドリル１１があり、ドリル１１はブラケット１９と共に移動する。モーター１７およびドリル１１にケーブル１５が接続されており、このケーブル１５により電源や命令を受け取る。
【００１３】
図５に図４のＢ部から見た図を示す。ブラケット１９はブラケット９の内寸法とほぼ同等の横幅となっており、ネジが切られた棒１８が回ってもブラケット１９は回らずに穴あけ施工部に対して奥行き方向移動が可能となる。
【００１４】
リモコン１６の「＋」ボタン、「−」ボタン、「穴あけ施工開始」ボタンについて説明する。「＋」ボタンを押下し続けると、ドリル１１を稼動させると同時に、モーター１７が稼動し、ネジが切られた棒１８が回転、ドリル１１を昇降路１の穴あけ施工部に近づく方向に移動する。「−」ボタンを押下し続けると、「＋」ボタンとは逆方向にモーター１７を回転させ、ドリル１１を昇降路１の穴あけ施工部から遠ざける方向に移動する。「穴あけ施工開始」ボタンを一度押下するとモーター１７とドリル１１が稼動し、アンカーボルト打設に必要な寸法を自動で穴あけ施工した後、ドリル１１は「穴あけ施工開始」ボタンを押す前の位置まで戻り、モーター１７およびドリル１１は停止する。
【００１５】
リモコン１６に備えられた「＋」ボタンおよび「穴あけ施工開始」ボタンは、昇降路１の穴あけ施工部に近づける機能を有しているため、穴あけ施工部である昇降路１の壁面に凸凹があり、様々な奥行きの穴あけ施工部だとしても「＋」ボタンで穴あけ施工部に接触させてから「穴あけ施工開始」ボタンを押すことで穴あけ施工が可能となる。また、リモコン１６に備えられた「−」ボタンは、ドリル１１を引き戻す機能を有しているため、穴あけ施工後にドリル１１を引き戻す役割と、釣合おもり３および本装置が昇降中に梁などの障害物を避けることが可能となる。
【００１６】
図６は本実施例における穴あけ施工手順を示す。Ｓ１で作業を開始する。Ｓ２で釣合おもり３をピット部まで下げる。Ｓ３で昇降路１のピット部にて本装置を釣合おもり３に取り付ける。Ｓ４で穴あけ施工部の水平方向の位置をＵ字鋼８に設けた長穴により、ブラケット９の取付け位置を調整する。Ｓ５で釣合おもり３を昇降させ、穴あけ施工位置の高さ調整を行う。
【００１７】
Ｓ６以降でリモコン１６に備えているボタンを操作して穴あけ施工作業を行う。Ｓ６で「＋」ボタンを押し続け、Ｓ７でドリル１１と昇降路１の穴あけ施工部の接触音が聞こえたら、Ｓ８で「＋」ボタンを離してモーター１７およびドリル１１の動きを止める。Ｓ８まででドリル１１が昇降路１の施工部に接触した状態となる。
【００１８】
Ｓ９で「穴あけ施工開始ボタン」を押下し、アンカーボルト打設に必要な寸法を穴あけ施工する。Ｓ１０にて穴あけ施工の施工音が止まったか判別し、施工音が止まったら、Ｓ１１でリモコン１６の「−」ボタンを押し続け、ドリル１１を引き戻す。
【００１９】
Ｓ１２で他の箇所に穴あけ施工が必要な箇所を確認し、施工箇所がある場合はＳ５に戻り、Ｓ５以降を行う。Ｓ１２にて他に穴あけ施工箇所が無い場合は、Ｓ１３で釣合おもり３をピット部まで下げ、Ｓ１４で本装置を取り外し、Ｓ１５で作業終了となる。
【００２０】
なお、本発明は上記した実施形態および変形例に限定されるものではなく、さらに様々な変形例が含まれる。例えば、上記した実施形態は本発明をわかりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。
【符号の説明】
【００２１】
１    昇降路
２    かご
３    釣合おもり
４    かご側ガイドレール
５    釣合おもり側ガイドレール
６    Ｕ字鋼
７    固定ボルト
８    Ｕ字鋼
９    ブラケット
１０  ボルト
１１  ドリル
１２  ブラケット
１３  ブラケット
１４  押さえボルト
１５  ケーブル
１６  リモコン
１７  モーター
１８  ネジが切られた棒
１９  ブラケット
２０  昇降路用穴あけ施工装置
【図１】
2019131343.tif 000003
【図２】
2019131343.tif 000004
【図３】
2019131343.tif 000005
【図４】
2019131343.tif 000006
【図５】
2019131343.tif 000007
【図６】
2019131343.tif 000008